(57)【要約】      （修正有）【課題】組み立て及び撤去を容易としつつ、小間を仕切るパネルの再利用を可能とし得る展示ブース用部材を提供する。【解決手段】展示ブース用部材は、複数の仕切パネルにより構成され、各仕切パネルは、複数の小パネル１４、１６により構成される。各上小パネル１４の右側側面に、板状に形成される第１雄金具２２が取り付けられる。第１雄金具２２は円筒状に突出した凸部２３を有しているが、その基端側が細くされている。各上小パネル１４の左側側面に、板状に形成される第１雌金具２４が取り付けられている。第１雌金具２４は円形とされる挿入可能部の他に、直線上のスリット部とからなる凹部を有している。このため、第１雄金具２２と第１雌金具２４は上小パネル１４の相互に同一位置に配置されているのに伴い、隣り合った上小パネル１４同士を接合可能になる。【選択図】図２
0003233934.tif 000002
【実用新案登録請求の範囲】
【請求項１】
商品やサービスを展示する展示スペースの小間を囲むように配置される複数の小パネルと、
これら小パネルの側面に配置され、凸部を有した雄金具と、
別の小パネルの側面における雄金具と対向する位置に配置され、雄金具の凸部と掛かり合う凹部を有した雌金具と、
を有することを特徴とする展示ブース用部材。
【請求項２】
雄金具が、小パネルの側面に固定可能とするねじ穴を有し、雄金具の凸部がその先端側に対して基端側が細く形成され、
雌金具が、小パネルの側面に固定可能とするねじ穴を有し、雌金具の凹部が、雄金具の凸部の先端側を挿入可能な円形の挿入可能部と、挿入可能部より小さい幅を備えた直線上のスリット部とを有した請求項１に記載の展示ブース用部材。
【請求項３】
雄金具が小パネルの側面に固定可能とするねじ穴を有し、
雌金具が小パネルの側面に固定可能とするねじ穴を有し、雄金具の凸部が挿入可能な空間を雌金具の凹部が有した請求項１に記載の展示ブース用部材。
【請求項４】
各小パネルに十字形の切り込みが複数形成された請求項１から請求項３のいずれかに記載の展示ブース用部材。
【考案の詳細な説明】
【技術分野】
【０００１】
本考案は、各種のイベント・展示会等で出展者が借用した小間に各種の展示物を展示するための囲いやその他を簡易に設置及び撤去可能とする展示ブース用部材に関し、パネルを再利用してゴミの排出を最小限に低減可能なものである。
【背景技術】
【０００２】
一般的に各種のイベントや商品等の展示会などに出展する出展者は、各社ごとにその展示スペースである小間を借用して展示会場に展示ブースを設営し、さらに展示会の終了と共に展示会場から撤去されている。
この展示ブースを構成する部材として、小間の周囲を囲む仕切パネル、出展者銘板、展示品を載置する展示台、そのディスプレー品、音響装置、受付カウンターその他を展示内容、来場者応接態様等に応じて、設置している。この際、一般に合成樹脂製や木製の仕切パネルにより各展示ブース単位で仕切を作成し、この仕切パネル内に机や椅子等を持ち込むだけでなく、販売促進使用とする商品等の宣伝広告のための説明書、写真、図面を展示していた。
【０００３】
その一例として、特許文献１には組立式の展示ブース及びその構築方法が示されている。この展示ブースは、格子型フレーム、バックパネル、サイドパネル、天井パネル等によって組み立てられ、これらのパネル相互を連結していた。また、特許文献２には、展示スペースの小間を囲む大きさを備えた展示ブース本体に、展示品、展示内容に対応して展示ブース本体に設置されるよう予め用意されている数種類の設備、備品中から選択設置される少なくとも一つの備品類から成ることが示されている。
【先行技術文献】
【特許文献】
【０００４】
【特許文献１】特開２０１１−１２７３３８号公報
【特許文献２】実用新案登録第３２２７１１８号公報
【考案の概要】
【考案が解決しようとする課題】
【０００５】
この特許文献１による展示ブースでは、小間の囲い等を組立、更には解体ができるとしても、これら展示ブースを再度他の展示会で使用することができない場合があった。すなわち、展示会ごとに小間の大きさは相違し、各展示会で使用した仕切り用のパネルを再利用することは容易ではなかった。また、特許文献２によっても組み立て及び撤去については説明されているものの、各展示会で使用した仕切り用のパネルを再利用することは記載されていなかった。
【０００６】
出展者は、自己の展示をアピールするのに他社との差別化・訴求性等を強く意識し、要望するために、展示期間中のいわば一時的な設営であっても独自性を求める傾向がある。そうすると、展示ブース内を特別な装飾物で装飾等を施すことが考えられるが、これら装飾物も一般に再利用ができず、出展者の設営展示費用が嵩み負担が大きくなっていた。
【０００７】
本考案は上記背景に鑑みてなされたものであり、組み立て及び撤去を容易としつつ、小間を仕切るパネルの再利用を可能とし得る展示ブース用部材を提供することを目的とする。
【課題を解決するための手段】
【０００８】
上記課題を解決した請求項１に記載の考案は、商品やサービスを展示する展示スペースの小間を囲むように配置される複数の小パネルと、
これら小パネルの側面に配置され、凸部を有した雄金具と、
別の小パネルの側面における雄金具と対向する位置に配置され、雄金具の凸部と掛かり合う凹部を有した雌金具と、
を有することを特徴とする展示ブース用部材である。
【０００９】
請求項１の展示ブース用部材によれば、小パネルの側面に配置された雄金具が有する凸部が、別の小パネルの側面における雄金具と対向する位置に配置された雌金具が有する凹部に掛かり合うことで、相互に連結されて複数の小パネルが連続した形となり、この連続した複数の小パネルが商品やサービスを展示する展示スペースの小間を囲むように配置される仕切パネルとなる。
【００１０】
このことで、本請求項の展示ブース用部材によれば、雄金具の凸部と雌金具の凹部との掛かり合いで、複数の小パネルを簡易に接合して必要な大きさの仕切パネルを形成し、またこれらの掛かり合いを外せば簡易に解体できる。
これに伴い、小パネルの大きさを適宜なものとすれば、組み立て及び撤去を容易としつつ小間を仕切るパネルの再利用が可能になる。
【００１１】
請求項２の展示ブース用部材によれば、雄金具が、小パネルの側面に固定可能とするねじ穴を有し、雄金具の凸部がその先端側に対して基端側が細く形成され、
雌金具が、小パネルの側面に固定可能とするねじ穴を有し、雌金具の凹部が、雄金具の凸部の先端側を挿入可能な円形の挿入可能部と、挿入可能部より小さい幅を備えた直線上のスリット部とを有している。
【００１２】
このことから、小パネルの側面に固定可能とするねじ穴を有することで、ねじ止めにより雄金具及び雌金具が小パネルの側面に確実に固定される。また、雄金具の凸部がその先端側に対して基端側が細く形成され、雌金具の挿入可能部が雄金具の凸部の先端側が挿入可能な円形とされているので、凸部が挿入可能部に挿入され、挿入可能部より小さい幅を備えた直線上のスリット部にこの凸部が移動可能となると共に、凸部が一旦入るとスリット部から抜けにくくなる。
以上より、組み立て及び撤去を容易としつつ、小間を仕切るパネルの再利用が可能になるだけでなく、強固で確実に小パネル間を連結可能となる。
【００１３】
請求項３の展示ブース用部材によれば、雄金具が小パネルの側面に固定可能とするねじ穴を有し、雌金具が小パネルの側面に固定可能とするねじ穴を有し、雄金具の凸部が挿入可能な空間を雌金具の凹部が有している。
このことから、小パネルの側面に固定可能とするねじ穴を有することで、ねじ止めにより雄金具及び雌金具が小パネルの側面に確実に固定される。また、雄金具の凸部が挿入可能な空間とされる凹部を雌金具が有していることから、雄金具の凸部が雌金具の凹部に嵌まり込むことになる。
以上より、上記と同様に、組み立て及び撤去を容易としつつ、小間を仕切るパネルの再利用が可能になるだけでなく、強固で確実に小パネル間を連結可能となる。
【００１４】
請求項４の展示ブース用部材によれば、各小パネルに十字形の切り込みが複数形成されている。このように十字形の切り込みを設けることで、必要な展示用の資料を載せる棚板の基端側をこの切り込みに挿入して棚板を小パネルに設置したり、或いは照明器具用のブラケットを切り込みに挿入して固定したりすることが可能となる。また、展示スペースの小間にサイネージモニタや社名版を十字形の切り込みを利用して容易に設置することもできる。
【考案の効果】
【００１５】
本考案の展示ブース用部材によれば、組み立て及び撤去を容易としつつ、小間を仕切るパネルの再利用を可能とし得るという優れた効果を有する。
【図面の簡単な説明】
【００１６】
【図１】本考案の一実施形態に係る展示ブース用部材を示す斜視図である。
【図２】本考案の一実施形態に係る展示ブース用部材に用いられる複数の小パネルを示す正面図である。
【図３】本考案の一実施形態に用いられる第１雄金具と第１雌金具を示す図であって、（Ａ）は第１雄金具の平面図であり、（Ｂ）は第１雄金具の右側面図であり、（Ｃ）は第１雄金具の上側面図であり、（Ｄ）は第１雌金具の平面図である。
【図４】本考案の一実施形態に用いられる第２雄金具と第２雌金具を示す図であって、（Ａ）は第２雄金具の平面図であり、（Ｂ）は第２雄金具の右側面図であり、（Ｃ）は第２雄金具の上側面図であり、（Ｄ）は第２雌金具の平面図である。
【図５】本考案の一実施形態に用いられる第３雄金具と第３雌金具を示す図であって、（Ａ）は第３雄金具の斜視図であり、（Ｂ）は第３雌金具の斜視図である。
【図６】本考案の一実施形態に係る展示ブース用部材を示す分解斜視図である。
【図７】本考案の一実施形態に用いられる皿ねじを示す正面図である。
【図８】本考案の一実施形態に係る展示ブース用部材を複数並べた状態を示す斜視図である。
【考案を実施するための最良の形態】
【００１７】
以下、本考案の一実施形態に係る展示ブース用部材１０について図面を参照しながら詳細に説明する。
図１に示すように、本実施形態の展示ブース用部材１０に関しては複数の仕切パネル１２により構成されるが、商品やサービスを展示したり、商談したりする展示スペースとされる小間を囲む形であって例えば断面がコ字形に、これら複数の仕切パネル１２を配置することができる。
【００１８】
各仕切パネル１２は、図２に示す複数の小パネル１４、１６により構成されているが、これら小パネル１４、１６は、木材を縦と横に交互に重ねた分厚いパネルであるＣＬＴ（Cross Laminated Timber）により形成されている。このＣＬＴは、板状に製材・乾燥した板（ひき板）を繊維方向が直交するように重ねて接着した板状の材料である。尚、図２において、小パネル１４、１６を各２枚描いたが同様構造のものが多数存在する。
【００１９】
図２及び図３に示すように、上部側に位置する各上小パネル１４の右側側面の上側寄り部分と下側寄り部分には、金属製で長方形の板状に形成されると共にねじ穴２２Ａを四隅に各一つずつ有した第１雄金具２２がねじ止められて、それぞれ取り付けられている。また、これら第１雄金具２２は、円筒状に突出した凸部２３を有していて、この凸部２３の基端側に第１雄金具２２の長手方向に沿って相互に平行な２つの切込部２３Ａが形成され、基端側が細くされている。
【００２０】
さらに、各上小パネル１４の左側側面の上側寄り部分と下側寄り部分には、金属製で第１雄金具２２と同じ大きさの長方形の板状に形成されると共にねじ穴２４Ａを四隅に各一つずつ有した第１雌金具２４がねじ止められて、それぞれ取り付けられている。また、これら第１雌金具２４は、一端が円形とされる挿入可能部２５Ａとこの挿入可能部２５Ａに続く直線上のスリット部２５Ｂとからなる貫通穴とされた凹部２５を有している。
【００２１】
この挿入可能部２５Ａは第１雄金具２２の凸部２３を挿入可能な径とされているが、スリット部２５Ｂの幅は、凸部２３の直径より小さいものの凸部２３の基端側より大きくされているだけでなく、これら第１雄金具２２と第１雌金具２４は上小パネル１４の相互に同一位置に配置されている。これに伴って、第１雄金具２２と第１雌金具２４とにより隣り合った上小パネル１４同士を接合可能になっている。
【００２２】
他方、図２及び図４に示すように、下部側に位置する各下小パネル１６の右側側面の上側寄り部分と下側寄り部分には、金属製で長方形の板状に形成されると共に、ねじ穴３２Ａを四隅に各一つずつ有するだけでなく中程にもねじ穴３２Ａを二つ有した第２雄金具３２が、同様にねじ止められて、それぞれ取り付けられている。また、これら第２雄金具３２は、円筒状に突出した凸部３３を２つ有していて、これら２つ凸部３３の基端側に第２雄金具３２の長手方向に沿って相互に平行な２つの切込部３３Ａがそれぞれ形成され、基端側が細くされている。
【００２３】
さらに、各下小パネル１６の左側側面の上側寄り部分と下側寄り部分には、金属製で第２雄金具３２と同じ大きさの長方形の板状に形成されると共に、ねじ穴３４Ａを四隅に各一つずつと中程にねじ穴３４Ａを二つ有した第２雌金具３４が、ねじ止められてそれぞれ取り付けられている。これら第２雌金具３４は、一端が円形とされる挿入可能部３５Ａとこの挿入可能部３５Ａに続く直線上のスリット部３５Ｂとからなる貫通穴とされた凹部３５を２つ有している。
【００２４】
この挿入可能部３５Ａは第２雄金具３２の凸部３３を挿入可能な径とされているが、スリット部３５Ｂの幅は凸部３３の直径より小さいものの凸部３３の基端側より大きくされているだけでなく、これら第２雄金具３２と第２雌金具３４は下小パネル１６の相互に同一位置に配置されている。これに伴って、第２雄金具３２と第２雌金具３４とにより隣り合った上小パネル１４同士を接合可能になっている。
【００２５】
この一方、図２及び図５に示すように、各下小パネル１６の上側側面の中央部分には、金属製で長方形の板状に形成されると共にねじ穴４２Ａを四つ有した第３雄金具４２がそれぞれねじ止められて、取り付けられている。そして、この第３雄金具４２は、円筒状に突出した凸部４３を１つ有している。
【００２６】
さらに、各上小パネル１４の下側側面の中央部分には、金属製で第３雄金具４２と同じ大きさの長方形の板状に形成されると共にねじ穴４４Ａを四つ有した第３雌金具４４がそれぞれねじ止められて、取り付けられている。この第３雌金具４４は、第３雄金具４２の凸部４３が挿入可能な円筒形の空間とされる凹部４５を内蔵した突出部４６を有している。
【００２７】
従って、第３雄金具４２が下小パネル１６に配置され、これに対向して第３雌金具４４は上小パネル１４の相互に同一位置に配置されているだけでなく、第３雄金具４２の凸部４３が第３雌金具４４の凹部４５に挿入可能であることから、第３雄金具４２と第３雌金具４４とにより隣り合った下小パネル１６と上小パネル１４を接合可能になっている。
【００２８】
以上より、図６に示すように分割している上小パネル１４と下小パネル１６が、第１雄金具２２と第１雌金具２４、第２雄金具３２と第２雌金具３４、第３雄金具４２と第３雌金具４４により、相互に接合され、断面がコ字形に配置された図１に示すような複数の仕切パネル１２を完成することができる。
【００２９】
なお、各雄金具２２、３２、４２及び各雌金具２４、３４、４４は、図７に示すような皿ねじ１８により、各小パネル１４、１６にねじ止めされるので、各ねじ穴２２Ａ、３２Ａ、４２Ａと各ねじ穴２４Ａ、３４Ａ、４４Ａの周囲には、それぞれ面取りがされている。
【００３０】
上記とは別に、図２に示す各小パネル１４、１６の表面には、十字形のスリットとされる切り込み部２０が縦横等間隔に複数形成されている。図１に示すように、必要な展示用の資料を載せる棚板５０の基端側にある図示しない突部を挿入してこの棚板５０を設置したり、或いは照明器具であるＬＥＤウオールライトの取り付け用のブラケット５２を固定したりすることに用いられる。
【００３１】
また、図１に示すように、展示スペースの小間の前面には、切り込み部２０を利用して、サイネージモニタ５４を例えば４台配置するだけでなく、空間を挟んだ他の面には社名版５６が設置され、その下側にもＬＥＤウオールライトの取り付け用のブラケット５２が固定されている。
【００３２】
他方、展示ブースの構造としては種々考えられるが、図８に示すように展示ブースを連続して４つ組み立てることもできる。このように４つの展示ブースを並べる場合でも、各展示ブースとして種々の構造が考えられる。この際、サイネージモニタ５４の取り付け部分には小パネルで四角形に配置して、厚みを持たせるようにしても良い。
【００３３】
次に、本実施形態に係る展示ブース用部材１０の作用を以下に説明する。
本実施形態の展示ブース用部材１０によれば、図２に示す複数の上小パネル１４の側面に、図３に示すねじ穴２２Ａにねじ込まれた図７の皿ねじ１８により同様に固定されて第１雄金具２２が配置されている。別の上小パネル１４の側面にねじ穴２４Ａにねじ込まれた皿ねじ１８により固定されて第１雌金具２４が配置されている。つまり、上小パネル１４の側面に固定可能とするねじ穴２２Ａ、２４Ａを有することで、ねじ止めされて第１雄金具２２及び第１雌金具２４が上小パネル１４の側面であって、第１雄金具２２と第１雌金具２４が相互に対向する位置に確実に固定される。
【００３４】
第１雄金具２２の凸部２３は先端側に対して基端側を細く形成し、第１雌金具２４は凹部２５を有しているが、この凹部２５は、第１雄金具２２の凸部２３の先端側が挿入可能な円形の挿入可能部２５Ａと、挿入可能部２５Ａより小さい幅を備えた直線上のスリット部２５Ｂとされている。このことから、第１雄金具２２の凸部２３がその先端側に対して基端側が細く形成され、第１雌金具２４の挿入可能部２５Ａが第１雄金具２２の凸部２３の先端側が挿入可能な円形とされているので、凸部２３が挿入可能部２５Ａに挿入され、挿入可能部２５Ａより小さい幅を備えた直線上のスリット部２５Ｂにこの凸部２３が移動可能となると共に、凸部２３が一旦スリット部２５Ｂに入ると、抜けにくくなる。
【００３５】
この一方、図２に示す複数の下小パネル１６に関しても、図４に示す第２雄金具３２と第２雌金具３４が上記の第１雄金具２２と第１雌金具２４と同様に、凸部３３が存在するだけでなく、この凸部３３が挿入されうる挿入可能部３５Ａより小さい幅を備えた直線上のスリット部３５Ｂにこの凸部３３が移動可能となっている。このため、上記同様に凸部３３が一旦スリット部３５Ｂに入ると、抜けにくくなるが、第２雄金具３２は凸部３３が２つ有り、第２雌金具３４は凹部３５が２つ有るという相違を有している。
【００３６】
さらに、上小パネル１４と下小パネル１６との間を連結する際には、上記とは異なり図５に示す円筒状に単に突出した凸部４３を１つ有した第３雄金具４２と、この凸部４３が挿入可能な円筒形の空間とされる凹部４５を内部に有した突出部４６を備えた第３雌金具４４が用いられる。
つまり、第３雄金具４２の凸部４３が挿入可能な空間とされる凹部４５を第３雌金具４４が有していることから、第３雄金具４２の凸部４３が第３雌金具４４の凹部４５に嵌まり込んで、相互に接合される。この際、下小パネル１６と上小パネル１４とを繋ぐのであれば、上小パネル１４の自重により不用意には外れることがない。
【００３７】
従って、本実施形態では、凸部２３、３３が凹部２５、３５に掛かり合うことや、凸部４３が凹部４５に嵌まり込むことで、連続した複数の小パネル１４、１６により仕切パネル１２が作られ、商品やサービスを展示する展示スペースの小間を囲むようにこの仕切パネル１２を配置することができる。
【００３８】
以上より、本実施形態の展示ブース用部材１０によれば、雄金具２２、３２の凸部２３、３３と雌金具２４、３４の凹部２５、３５との掛かり合いや、第３雄金具４２の凸部４３を３雌金具４４の凹部４５に嵌まり込ませることで、複数の小パネル１４、１６を簡易に接合して必要な大きさのパネルを簡易に形成し、またこれらの掛かり合いを外せば簡易に解体できる。
これに伴い、上小パネル１４と下小パネル１６の大きさを適宜なものとすれば、小間を仕切るパネルの再利用を容易としつつ、組み立て及び撤去が容易になる。
【００３９】
他方、本実施形態の展示ブース用部材１０の各小パネル１４、１６に十字形の切り込み部２０を複数形成しても良い。このように十字形の切り込みを設けることにより、必要な展示用の資料を載せる棚板５０の基端側にある図示しない突部を挿入して棚板５０を設置したり、或いはＬＥＤウオールライトのブラケット５２を固定したりすることに用いられる。また、この十字形の切り込み部２０を利用すれば、展示スペースの小間の前面にサイネージモニタ５４や社名版５６を容易に設置することができる。
【００４０】
この一方、各上小パネル１４同士を接合する際に第１雄金具２２及び第１雌金具２４を用いず、第２雄金具３２及び第２雌金具３４を用いることもでき、また、第１雄金具２２及び第１雌金具２４により各下小パネル１６同士を接合しても良い。そして、第３雄金具４２を上小パネル１４に取り付け、第３雌金具４４を下小パネル１６に取り付けることにより、下小パネル１６と上小パネル１４とを繋ぐ用にしても良い。
【００４１】
なお、上記実施形態において、小パネル１４、１６をＣＬＴ（Cross Laminated Timber）により形成したが、他の種類の木材でもよく、他の一般的な材質でもよい。また、上記実施形態において各３種類の雄金具と雌金具を用いたが、他の構造の金具でもよく、材質も一般的な鋼材やステンレス鋼、黄銅材、アルミニウム合金材等の一般的な材質を採用することができ、表面にクロムメッキ等の表面処理を施した他の金属材料や等の材料を採用するとしても良い。
【００４２】
以上、本考案に係る実施の形態を説明したが、本考案は係る実施の形態に限定されるものではなく、本考案の趣旨を逸脱しない範囲で種々変形して実施することができる。
【産業上の利用可能性】
【００４３】
本考案は、展示ブースの他、様々な産業分野に適用可能となる。
【符号の説明】
【００４４】
１０  展示ブース用部材
１２  仕切パネル
１４  上小パネル
１６  下小パネル
２２  第１雄金具
２３  凸部
２４  第１雌金具
２５  凹部
３２  第２雄金具
３３  凸部
３４  第２雌金具
３５  凹部
４２  第３雄金具
４３  凸部
４４  第３雌金具
４５  凹部
【図１】
0003233934.tif 000003
【図２】
0003233934.tif 000004
【図３】
0003233934.tif 000005
【図４】
0003233934.tif 000006
【図５】
0003233934.tif 000007
【図６】
0003233934.tif 000008
【図７】
0003233934.tif 000009
【図８】
0003233934.tif 000010